(57)【要約】      （修正有）【課題】金箔等の金属箔による装飾が施された古画を複製する方法を提供する。【解決手段】金属箔装飾が施された複製すべき古画のデジタル画像データを、画像入力手段を用いて取得するステップと、その画像データに基づき古画の絵柄を紙６に印刷するステップと、印刷された絵柄７の金属箔色を表現すべき領域中の、古画の色調を参照して金属光沢の高い金属箔色に表現すべき部分に第１の接着剤および金属光沢の高い金属箔色の紛の混合物８を塗るステップと、金属箔色を表現すべき領域全体に金属箔色の紛よりも金属光沢の低い金属箔色を有する第１の金属泥９を塗るステップと、古画の色調を参照して更に金属光沢の低い金属箔色に表現すべき部分の第１の金属泥９を擦り取ってその下の絵柄７を露出させるステップと、古画の色調を参照して金属光沢の高い金属箔色に表現すべき部分の第１の金属泥９を擦り取ってその下の混合物８を露出させるステップと、からなる。【選択図】図３
2006150929.tif 000002
【特許請求の範囲】
【請求項１】
（Ａ）金属箔による装飾が施された複製すべき古画のデジタル画像データを、画像入力手段を用いて取得するステップと、
（Ｂ）取得した前記デジタル画像データに基づいて、前記古画の絵柄を紙に印刷するステップと、
（Ｃ）紙に印刷された前記絵柄における金属箔色を表現すべき領域中の、前記複製すべき古画の色調を参照して金属光沢の高い金属箔色に表現すべき部分に、第１の接着剤および金属光沢の高い金属箔色の紛の混合物を塗るステップと、
（Ｄ）紙に印刷された前記絵柄における金属箔色を表現すべき領域全体に、前記金属箔色の紛よりも金属光沢の低い金属箔色を有する第１の金属泥を塗るステップと、
（Ｅ）紙に印刷された前記絵柄の上に前記第１の金属泥を直接重ね塗りした領域中の、前記複製すべき古画の色調を参照して更に金属光沢の低い金属箔色に表現すべき部分において、前記第１の金属泥を擦り取って、その下の前記絵柄を露出させるステップと、
（Ｆ）紙に印刷された前記絵柄の上に前記混合物および前記第１の金属泥を重ね塗りした領域中の、前記複製すべき古画の色調を参照して金属光沢の高い金属箔色に表現すべき部分において、前記第１の金属泥を擦り取って、その下の前記混合物を露出させるステップと、
からなっていることを特徴とする、金属箔による装飾が施された古画の複製方法。
【請求項２】
（Ｇ）前記ステップ（Ａ）〜（Ｆ）の完了後、重ね塗りした前記第１の金属泥が残っている領域中の、前記複製すべき古画の色調を参照して既に表現されている金属光沢とは異なる金属光沢を有する金属箔色に表現すべき部分に、前記第１の金属泥よりも濃度の薄い第
２の金属泥を更に重ね塗るステップを有していることを特徴とする請求項１に記載の複製
方法。
【請求項３】
（Ａ）金属箔による装飾が施された複製すべき古画のデジタル画像データを、画像入力手
段を用いて取得するステップと、
（Ｂ）取得した前記デジタル画像データに基づいて、前記古画の絵柄を紙に印刷するステップと、
（Ｃ）紙に印刷された前記絵柄における金属箔色を表現すべき領域中の、前記複製すべき古画の色調を参照して金属光沢の高い金属箔色に表現すべき部分に、第１の接着剤および金属光沢の高い金属箔色の紛の混合物を塗るステップと、
（Ｈ）紙に印刷された前記絵柄における金属箔色を表現すべき領域全体に、第２の接着剤を適用し、その上に前記金属箔色の紛よりも金属光沢の低い金属箔色を有する第１の金属箔を貼るステップと、
（Ｉ）紙に印刷された前記絵柄の上に前記第１の金属箔を直接貼った領域中の、前記複製すべき古画の色調を参照して更に金属光沢の低い金属箔色に表現すべき部分において、前記第１の金属箔を擦り取り、その下の前記絵柄を露出させるステップと、
（Ｊ）紙に印刷された前記絵柄の上に前記混合物を重ね塗りし、更にその上に前記第１の金属箔を貼った領域中の、前記複製すべき古画の色調を参照して金属光沢の高い金属箔色に表現すべき部分において、前記第１の金属箔を擦り取り、その下の前記混合物を露出させるステップと、
からなっていることを特徴とする、金属箔による装飾が施された古画の複製方法。
【請求項４】
前記第２の接着剤を塗布により適用することを特徴とする請求項３に記載の複製方法。
【請求項５】
前記第２の接着剤を印刷により適用することを特徴とする請求項３に記載の複製方法。
【請求項６】
前記紙は和紙であることを特徴とする請求項１〜５のいずれか１項に記載の複製方法。
【請求項７】
（Ｋ）前記ステップ（Ｂ）の完了後、前記ステップ（Ｃ）の実行前に、紙に印刷された絵柄における金属箔色を表現すべき領域全体に、滲み防止剤を塗るステップを有していることを特徴とする請求項１〜６のいずれか１項に記載の複製方法。
【請求項８】
前記滲み防止剤は礬砂液であることを特徴とする請求項７に記載の複製方法。
【請求項９】
（Ｃ´）前記ステップ（Ｃ）の代わりに、紙に印刷された前記絵柄における金属箔色を表現すべき領域中の、前記複製すべき古画の色調を参照して金属光沢の高い金属箔色に表現すべき部分に、第１の接着剤を塗り、その上に金属光沢の高い金属箔色を有する第２の金属箔を貼るステップを有していることを特徴とする請求項１〜８のいずれか１項に記載の複製方法。
【請求項１０】
前記金属箔は金箔であることを特徴とする請求項１〜９のいずれか１項に記載の複製方法。
【請求項１１】
前記金属箔は金箔であり、更に前記金属箔色の粉はチタンと雲母からなることを特徴とする請求項１〜８のいずれか１項に記載の複製方法。
【発明の詳細な説明】
【技術分野】
【０００１】
本発明は、金箔等の金属箔による装飾が施された、障屏画等の古画を忠実に複製する方法に関する。
【背景技術】
【０００２】
襖絵、屏風絵および壁画等の文化遺産は人類にとって貴重な財産であり、後世に残すべきものである。しかし、それらは年々老朽化が進んでおり、現在、それらの保護が重要な課題となっている。
【０００３】
それらの保護方法の一つとして、実物の複製を製作し、実物と複製物を置き換えるとともに実物を収蔵庫等に保管しておく方法がとられている。
【０００４】
従来の複製方法として、高精度のデジタルカメラや大型スキャナ等の画像入力手段により、文化遺産の絵柄のデジタル画像データを取得し、そのデジタル画像データに基づいて紙に絵柄を印刷して複製物を製作する方法があるが、金属箔が施された絵柄については、金属箔色をインクのみで表現することはできなかった。そこで、金箔による装飾が施されたものについては、紙上に金箔を貼付し、その上にオフセット印刷を施すことによって、長い年月を経た金箔の色合い等を表現し、複製する方法がまた、存在する（特許文献１参照）。
【特許文献１】特開２００１−９６８８５号公報
【発明の開示】
【発明が解決しようとする課題】
【０００５】
しかしながら、この複製方法では、紙に貼付された一様な金属光沢の金属箔の上に、インクによって多様な色合いが表現されるに過ぎず、金属光沢が多様ではなかった。そのため、金箔色を表現した部分が実物と比較して立体感のない平坦な印象を与えてしまい、複製すべき古画の絵柄を忠実に再現することは困難であった。
【０００６】
したがって本発明の目的は、金箔等の金属箔による装飾が施された古画を忠実に複製する方法を提供することによって、かかる従来技術の問題点を解決することにある。
【課題を解決するための手段】
【０００７】
上記課題を解決するために、第１発明は、
（Ａ）金属箔による装飾が施された複製すべき古画のデジタル画像データを、画像入力手段を用いて取得するステップと、
（Ｂ）取得した前記デジタル画像データに基づいて、前記古画の絵柄を紙に印刷するステップと、
（Ｃ）紙に印刷された前記絵柄における金属箔色を表現すべき領域中の、前記複製すべき古画の色調を参照して金属光沢の高い金属箔色に表現すべき部分に、第１の接着剤および金属光沢の高い金属箔色の紛の混合物を塗るステップと、
（Ｄ）紙に印刷された前記絵柄における金属箔色を表現すべき領域全体に、前記金属箔色の紛よりも金属光沢の低い金属箔色を有する第１の金属泥を塗るステップと、
（Ｅ）紙に印刷された前記絵柄の上に前記第１の金属泥を直接重ね塗りした領域中の、前記複製すべき古画の色調を参照して更に金属光沢の低い金属箔色に表現すべき部分において、前記第１の金属泥を擦り取って、その下の前記絵柄を露出させるステップと、
（Ｆ）紙に印刷された前記絵柄の上に前記混合物および前記第１の金属泥を重ね塗りした領域中の、前記複製すべき古画の色調を参照して金属光沢の高い金属箔色に表現すべき部分において、前記第１の金属泥を擦り取って、その下の前記混合物を露出させるステップと、からなっていることを特徴とする、金属箔による装飾が施された古画の複製方法を構成したものである。
【０００８】
ここで金属泥とは、膠液等の接着剤に金属の紛を溶いたものを意味する。また、この構成において、ステップ（Ａ）〜（Ｄ）はこの順序で実行され、その後、ステップ（Ｅ）の完了後にステップ（Ｆ）が実行され、またはステップ（Ｆ）の完了後にステップ（Ｅ）が実行される。
【０００９】
また、上記構成において、
（Ｇ）前記ステップ（Ａ）〜（Ｆ）の完了後、重ね塗りした前記第１の金属泥が残っている領域中の、前記複製すべき古画の色調を参照して既に表現されている金属光沢とは異なる金属光沢を有する金属箔色に表現すべき部分に、前記第１の金属泥よりも濃度の薄い第２の金属泥を更に重ね塗るステップ、を有していることが好ましい。
【００１０】
また、上記課題を解決するために、第２発明は、
（Ａ）金属箔による装飾が施された複製すべき古画のデジタル画像データを、画像入力手段を用いて取得するステップと、
（Ｂ）取得した前記デジタル画像データに基づいて、前記古画の絵柄を紙に印刷するステップと、
（Ｃ）紙に印刷された前記絵柄における金属箔色を表現すべき領域中の、前記複製すべき古画の色調を参照して金属光沢の高い金属箔色に表現すべき部分に、第１の接着剤および金属光沢の高い金属箔色の紛の混合物を塗るステップと、
（Ｈ）紙に印刷された前記絵柄における金属箔色を表現すべき領域全体に、第２の接着剤を適用し、その上に前記金属箔色の紛よりも金属光沢の低い金属箔色を有する第１の金属箔を貼るステップと、
（Ｉ）紙に印刷された前記絵柄の上に前記第１の金属箔を直接貼った領域中の、前記複製すべき古画の色調を参照して更に金属光沢の低い金属箔色に表現すべき部分において、前記第１の金属箔を擦り取り、その下の前記絵柄を露出させるステップと、
（Ｊ）紙に印刷された前記絵柄の上に前記混合物を重ね塗りし、更にその上に前記第１の金属箔を貼った領域中の、前記複製すべき古画の色調を参照して金属光沢の高い金属箔色に表現すべき部分において、前記第１の金属箔を擦り取り、その下の前記混合物を露出させるステップと、からなっていることを特徴とする、金属箔による装飾が施された古画の複製方法を構成するものである。
また、この構成において、ステップ（Ａ）〜（Ｈ）はこの順序で実行され、その後、ステップ（Ｉ）の完了後にステップ（Ｊ）が実行され、またはステップ（Ｊ）の完了後にステップ（Ｉ）が実行される。
【００１１】
上記構成において、前記第２の接着剤を塗布により適用してもよく、印刷により適用してもよい。
【００１２】
また、上記構成において、前記紙は和紙であることが好ましい。更に、
（Ｋ）前記ステップ（Ｂ）の完了後、前記ステップ（Ｃ）の実行前に、紙に印刷された絵柄における金属箔色を表現すべき領域全体に、滲み防止剤を塗るステップ、を有していることが好ましく、前記滲み防止剤は礬砂液であるのが好ましい。ここで礬砂液とは、膠液に明礬を加えたものを意味する。
【００１３】
更に、上記構成において、
（Ｃ´）前記ステップ（Ｃ）の代わりに、紙に印刷された前記絵柄における金属箔色を表現すべき領域中の、前記複製すべき古画の色調を参照して金属光沢の高い金属箔色に表現すべき部分に、第１の接着剤を塗り、その上に金属光沢の高い金属箔色を有する第２の金属箔を貼るステップ、を有していてもよい。
【００１４】
更に、前記金属箔は金箔であってよく、前記金属箔色の粉はチタンと雲母からなっていてもよい。
【発明の効果】
【００１５】
本発明の複製方法によれば、デジタルカメラやスキャナ等の画像入力手段により取得したデジタル画像データに基づいて、複製すべき古画の絵柄を印刷する。この正確に印刷された絵柄に対して金属箔色を表現した領域を形成するため、実物の絵柄を正確に再現することができる。
【００１６】
また、本発明の複製方法によれば、印刷した絵柄の上に金属光沢の異なる金属箔色を有する領域を複数設けたため、従来一様であった金属光沢を多様に表現でき、立体感のある自然な金属箔色を有する、実物に忠実な複製物を製作することができる。
【発明を実施するための最良の形態】
【００１７】
以下、図面を参照して本発明の好ましい実施形態につき説明する。図１は、本発明にかかる実施形態の初期段階において得られる、金箔による装飾が施された複製すべき古画の絵柄を紙に印刷したものを示す平面図であり、図２は、複製すべき古画の絵柄に基づいて判定した、表現すべき金箔色の金属光沢の高低を示すチャートである。また、図３は、図２に対応して実際に複製されたものにおける、Ｘ−Ｘ線に沿った断面図である。
【００１８】
［実施形態１（金泥を用いる場合）］
第１の実施形態として、金箔による装飾が施された古画を、金泥を用いて複製する方法につき説明する。図４は、実施形態１にかかる複製方法を示すフロー図である。
まず、高精度のデジタルカメラまたはスキャナ等により、複製すべき古画のデジタル画像データを取得する（図４におけるＳ１）。次に、取得したデジタル画像データに基づいて、和紙６に複製すべき古画の絵柄をカラー印刷する（Ｓ２）。ここで、図１に示すとおり、印刷された絵柄７は金箔色を表現すべきでない領域１と、金箔色を表現すべき領域２とに区分される。
【００１９】
次に、金箔色を表現すべき領域２の全体において、滲み防止のために礬砂液（膠液に明礬を加えたもの）を塗布する（Ｓ３）。そして、図２に示す金属光沢の高い金箔色に表現すべき領域３（図中の白色で示された領域）に、金属光沢の高い金パール（雲母にチタンをまき着色したもの）と第１の接着剤との混合物８を塗布する（Ｓ４）。ここで、表現すべき金属光沢の高低は、複製すべき古画の色調を参照することによって決定する。
【００２０】
塗布した金パール混合物８が完全に乾いた後、金箔色を表現すべき領域２の全体に、金パール混合物８よりも金属光沢の低い第１の金泥９（金粉を膠液で溶いたもの）を塗布する（Ｓ５）。
【００２１】
塗布した第１の金泥９が完全に乾いた後、図２に示す、金属光沢の高い金箔色に表現すべき領域３（図中の白色で示された領域）および金属光沢の更に低い金箔色に表現すべき領域５（図中の濃いグレーで示された領域）において、礬砂液を付着させた綿や布等を用いて第１の金泥９を擦り取り、下にある金パール混合物８および印刷された絵柄７を露出させる（Ｓ６）。ここで、擦り取られずに残っている第１の金泥９は、金属光沢の低い金箔色に表現すべき領域４（図中の薄いグレーで示された領域）を表現することになる。
【００２２】
以上により、表現すべき金箔色が、それぞれ異なる金属光沢を有する金パール混合物８、第１の金泥９および印刷された絵柄７によって表現されるため、金属光沢が一様である場合と比較して立体感のある自然な金属箔色を再現でき、実物に忠実な複製物を製作することができる。
【００２３】
更に金属光沢を多様に表現する必要があるときは、擦り取られずに残っている第１の金泥９の上に、第１の金泥９よりも濃度の薄い第２の金泥を重ね塗りしてもよい。それによって、既にある金属光沢とは別の金属光沢を有する領域を加えることができ、更に多様な金属光沢を表現することができる。
【００２４】
［実施形態２（金箔を用いる場合）］
次に、第二の実施形態として、金箔による装飾が施された古画を、金箔を用いて複製する方法につき説明する。図５は、実施形態２にかかる複製方法を示すフロー図である。
なお、金パール混合物８を塗布するステップ（図５におけるＳ４）までは前述の実施形態１と同様であるため、それ以降のステップ（Ｓ５〜）につき説明する。
【００２５】
塗布した金パール混合物８が完全に乾いた後、金箔色を表現すべき領域２の全体に、第２の接着剤を塗布によって適用し、その上に金パール混合物８よりも金属光沢の低い第１の金箔９’を貼付する（Ｓ５）。ここで、第２の接着剤は膠液であるのが好ましい。
【００２６】
また、第２の接着剤を適用する際、古画の絵柄をカラー印刷するのに用いた元のデジタル画像データに再び基づき、公知の画像処理プログラムを用いて古画の絵柄における金箔色領域を特定し、その領域上に、スクリーン印刷、オフセット印刷、フレキソ印刷またはグラビア印刷によって第２の接着剤を適用してもよい。この場合、公知の画像処理プログラムによれば、例えば、元のデジタル画像データにおける各ピクセルの色成分値を予め定められた閾値と比較することによって、または、元のデジタル画像データの取得時に検出した各ピクセルの光の反射率を予め定められた閾値と比較することによって、古画の絵柄における金箔色領域が特定される。
この構成によれば、第２の接着剤を自動的に、正確かつ効率良く適用することができる。なお、この場合の第２の接着剤は、アクリル系樹脂等の公知の印刷用接着剤であるのが好ましい。
【００２７】
塗布した第２の接着剤が完全に乾いた後、図２に示す金属光沢の高い金箔色に表現すべき領域３（図中の白色で示された領域）および金属光沢の更に低い金箔色に表現すべき領域５（図中の濃いグレーで示された領域）において、礬砂液を付着させた綿や布等を用いて第１の金箔９’を擦り取り、下にある金パール混合物８および印刷された絵柄７を露出させる（Ｓ６）。
【００２８】
この実施形態２においても実施形態１と同様に、実物に忠実な複製物を製作することができる。
【００２９】
以上、具体例を例示しつつ、本発明の実施の形態について説明したが、本発明はこれらの具体例に限定されるものではない。例えば前述の両実施形態において、複製すべき古画の絵柄を和紙６に印刷したが、印刷可能な紙であればよく、実物を忠実に表現できる紙を適宜選択すればよい。また、印刷はインクジェット方式、オフセット方式およびスクリーン方式等の一般的なカラー印刷であってよい。なお、印刷に用いるインクは耐水性を有するのが好ましい。
【００３０】
また、滲み防止のために礬砂液を塗布したが、他の一般的な滲み防止剤であってもよい。更に、使用する紙および印刷インクに応じて適宜省略してもよい。
【００３１】
また、表現すべき金属光沢の高低を決定する際、直接観察できない場合や判断が難しい場合は、取得した複製すべき古画のデジタル画像データに対して、例えばコントラストを大きくする等、金属光沢の高低を視覚的に判断し易くするように画像処理を施し、それに基づいて決定してもよい。
【００３２】
また、金属光沢の高い金箔色を有する領域を表現するのに金パール混合物８を用いたが、高い金属光沢を有するものであればよく、第２の金箔８’を用いてもよい。更に、金属光沢の高い金箔色を有する粉８（または第２の金箔８’）にかかる第１の接着剤は、その上に塗布または貼付された後に擦り取られる第１の金泥９（または第１の金箔９’）と一緒に取り去られないよう、第１の金泥９（または第１の金箔９’）にかかる膠液等の接着剤（または第２の接着剤）よりも、強い接着力を有するのが好ましい。
【００３３】
また、金属光沢の異なる金箔色領域を形成する際、複製すべき古画の色調に応じて、金属光沢とともにその色合いに変化をもたせるようにしてもよい。例えば、金属光沢の高い金箔色に表現すべき領域に対して、金属光沢の高い、黄色の色合いを有する金箔色の粉を塗布するとともに、金属光沢の低い金箔色に表現すべき領域に対し、金属光沢の低い、赤色の色合いを有する金泥を塗布する等である。それによって、金箔による装飾が施された複製すべき古画をより忠実に複製することができる。
【００３４】
また、前述の両実施形態では金箔の場合を例示したが、複製すべき古画に応じて銀箔やアルミ箔等の金属箔を使用することもできる。
【００３５】
また、全作業完了後、複製物を保護するために、水性ウレタン等のコーティング剤を全体に塗布してもよい。
【図面の簡単な説明】
【００３６】
【図１】本発明の実施形態の初期段階において得られる、金箔による装飾が施された複製すべき古画の絵柄を紙に印刷したものを示す平面図である。
【図２】複製すべき古画の絵柄に基づいて判定した、表現すべき金箔色の金属光沢の高低を示すチャートである。
【図３】図２に対応して実際に複製されたものにおける、Ｘ−Ｘ線に沿った断面図である。
【図４】実施形態１にかかる複製方法を示すフロー図である。
【図５】実施形態２にかかる複製方法を示すフロー図である。
【符号の説明】
【００３７】
１    金箔色を表現すべきでない領域
２    金箔色を表現すべき領域
３    金属光沢の高い金箔色に表現すべき領域
４    金属光沢の低い金箔色に表現すべき領域
５    金属光沢の更に低い金箔色に表現すべき領域
６    和紙層
７    絵柄層
８    金パールと第１の接着剤との混合物層
８’  第２の金箔層
９    第１の金泥層
９’  第１の金箔層
【図３】
2006150929.tif 000003
【図４】
2006150929.tif 000004
【図５】
2006150929.tif 000005
【図１】
2006150929.tif 000006
【図２】
2006150929.tif 000007